(57)【特許請求の範囲】
【請求項１】
ユニット式建物の平面形状に入隅部分を形成するように交差する第１および第２の外壁面に沿って突設される突設物ユニットを取り付けるための突設物ユニットの取付構造であって、前記第１の外壁面から突出するとともに前記突設物ユニットを当該第１の外壁面に固定するためのブラケットと、前記第２の外壁面および前記突設物ユニットの間に介装されるとともに前記突設物ユニットの上面と連続する上面を有する中間ユニットとを備え、この中間ユニットの基端が前記第２の外壁面に固定され、先端が前記突設物ユニットに接合され、前記ブラケットが前記突設物ユニットに接合されることにより、前記突設物ユニットが前記第１および第２の外壁面に取り付けられることを特徴とする突設物ユニットの取付構造。
【請求項２】
請求項１に記載の突設物ユニットの取付構造において、前記中間ユニットは、前記突設物ユニットと同一の奥行き寸法を有することを特徴とする突設物ユニットの取付構造。
【発明の詳細な説明】
【０００１】
【発明の属する技術分野】
本発明は、ユニット式建物の入隅部分に突設物ユニットを取り付けるための構造に係り、バルコニユニット、玄関庇および軒先ユニット等の各種突設物ユニットの取り付けに利用できる。
【０００２】
【背景技術】
従来より、工場で製造した箱状の建物ユニットを、建築現場で複数組み合わせることにより建築されるユニット式建物が利用されている。
建物ユニット９は、図１１に示すように、四隅に立設される柱９１と、これらの柱９１の上端および下端間に掛け渡された上梁９２および下梁９３とを備えてボックス状に構成されている。下梁９３間には図示しない床面材を支持する床根太９４が掛け渡され、上梁９２間には図示しない天井面材を支持する天井野縁９５が掛け渡されている。
このようなユニット式建物１によれば、建築現場での作業が軽減され、建築工期を著しく短縮できるというメリットが得られる。
【０００３】
一方、ユニット式建物等の建物には、その外壁面から突出させて取り付けられるバルコニ等の突設物を有するものがある。
このようなバルコニとしては、ユニット式建物の外壁面に固定されるバルコニユニットを含んで構成されるものがある。このバルコニユニットは、ユニット式建物の骨組みに設けられた箱形のブラケットに取り付けられる。
このブラケットには、バルコニユニットを取り付けるためのボルトを挿通するボルト挿通孔と、このボルト挿通孔の裏側に固着されたナットと、バルコニユニットの位置決めを行うために水平に突出する位置決めピンとが設けられている。
【０００４】
ここで、バルコニユニットは、床を形成する床パネルと、この床パネルの端縁に沿って設けられる手すり壁とを備えている。
図１２に示すように、床パネル６４は、軸組材を四角形に組んだ床フレーム６５と、この床フレーム６５の対向辺間に架け渡された根太６４Ｂと、この床フレーム６５と根太６４Ｂとの上面に張り付けられる床面材６６とから形成されるものである。手すり壁６３は、床フレーム６５に立設された手摺下地フレーム６３Ｆと、この手摺下地フレーム６３Ｆの屋外側に取り付けられた外壁材６３Ｅと、前記手摺下地フレーム６３Ｆの屋内側に取り付けられた下地面材６３Ｄとから形成されている。手摺壁６３の上面には笠木部材６３Ｃが被せられている。
なお、床パネル６４および手摺壁６３の屋内側の側面は、防水シート６４Ａで被覆されているとともに、床フレーム６５には、ユニット式建物１の構造材に取り付けてある箱形のブラケットに接続するための結合部６７が設けられている。
この結合部には、当該バルコニユニットを取り付けるためのボルトを挿通させるボルト挿通孔と、ブラケットの位置決めピンを挿入させる位置決め孔とが設けられている。
【０００５】
このようなバルコニユニットを取り付けるにあたり、建築現場でバルコニユニットをクレーンから吊り下げられたフック１００に掛止して、バルコニユニットを建物側のブラケットの近傍まで上昇させた後、バルコニユニットを水平移動し、バルコニユニットの結合部に設けた位置決め孔に建物側のブラケットに設けた位置決めピンを挿入させ、この後、結合部およびブラケットの両方のボルト挿通孔にボルトを挿入して締め付けることにより、ユニット式建物にバルコニユニットが取り付けられるようになっている。
【０００６】
【発明が解決しようとする課題】
しかしながら、図１２に示されるように、二つの外壁面Ａ、ＢがＬ字形に交差した入隅部分Ｃを有するユニット式建物においては、この入隅部分Ｃの両方の外壁面Ａ、Ｂから突出するようにバルコニユニットＤを取り付けたい場合がある。この場合、バルコニユニットＤを取り付けるにあたり、入隅部分Ｃの一方の外壁面にバルコニユニットＤの一辺を近接させた状態で、当該バルコニユニットＤを水平移動させるので、当該バルコニユニットＤの端縁が移動方向に沿ったユニット式建物の外壁面に接触しやすく、建物の壁材を損傷させるおそれがある。このため、取り付け作業を慎重に行わなければならず、取付作業に時間がかかるという問題がある。
【０００７】
一方、特開平８−８６０２１号公報のように、入隅部分の外壁面をそれぞれ有する二つの建物ユニットの一方を建物側に設置し、この設置された建物ユニットにバルコニユニットを取り付けた後、他方の建物ユニットを取付ける方法もある。しかし、このように取付順序が限定されると、作業の自由度が低くなるので、雨じまい等のために、先に建物本体を組み上げてしまいたい場合には利用できないという問題があった。
【０００８】
本発明の目的は、建物の入隅部の外壁材を損傷させずに短時間で設置可能となる突設物ユニットの取付構造を提供することにある。
【００１２】
【課題を解決するための手段】
本発明は、ユニット式建物１の平面形状に入隅部分５を形成するように交差する第１および第２の外壁面６、７に沿って突設される突設物ユニット６２を取り付けるための突設物ユニット６２の取付構造であって、前記第１の外壁面６から突出するとともに前記突設物ユニット６２を当該第１の外壁面６に固定するためのブラケット６１と、前記第２の外壁面７および前記突設物ユニット６２の間に介装されるとともに前記突設物ユニット６２の上面と連続する上面を有する中間ユニット７２Ｈとを備え、この中間ユニット７２Ｈの基端が前記第２の外壁面７に固定され、先端が前記突設物ユニット６２に接合され、前記ブラケット６１が前記突設物ユニット６２に接合されることにより、前記突設物ユニット６２が前記第１および第２の外壁面６、７に取り付けられることを特徴とする。
【００１３】
このような発明では、ユニット式建物１の第２の外壁面７に中間ユニット７２Ｈを取り付けておけば、突設物ユニット６２を取り付けるにあたり、第２の外壁面７から突出する中間ユニット７２Ｈが、前記突設物ユニット６２の第２の外壁面７との間に介装され、突設物ユニット６２の第２の外壁面７からの距離が大きくなる。このため、突設物ユニット６２の水平移動時には、突設物ユニット６２が第２の外壁面７に接触することが無く、突設物ユニット６２の取付作業が迅速に行え、短時間での設置が可能となる。
また、中間ユニット７２Ｈは、前記突設物ユニット６２の上面と連続する上面を備えているので、突設物ユニット６２がバルコニユニットの場合には、前記中間ユニット７２Ｈの奥行き寸法を、前記突設物ユニット６２と同一の奥行き寸法とすれば、中間ユニット７２Ｈの面積の分、突設物ユニット６２により形成されるバルコニの床面積が拡張される。
【００１９】
【発明の実施の形態】
以下に本発明の実施の形態を図面に基づいて説明する。なお、以下の説明では、既に説明した部材と同じ部材には同一符号を付し、その説明を省略若しくは簡略にする。
図１には、本発明の第１実施形態に係るユニット式建物１が示されている。
ユニット式建物の本体１は、基礎２上に載せられた直方体状の一階用建物ユニット３と、この一階用建物ユニット３の上に載せられた直方体状の二階用建物ユニット４とを含んで構成されたものである。
【００２０】
二階用建物ユニット４によって形成される二階部分には、建物ユニット４Ａ、４Ｂの第１および第２の外壁面６、７が交差するとともに、内側にへこんだ入隅部５が形成されている。
この二階用部分の入隅部５を形成する第１の外壁面６には、当該外壁面６を有する建物ユニット４Ａの骨組みに溶接された箱状で、かつ、一対のブラケットから構成される第１のブラケット６１が露出している。
第１のブラケット６１の垂直な前面６１Ｂには、バルコニユニット６２を取り付けるための図示しないボルトを挿通するボルト挿通孔６１Ｃと、バルコニユニット６２の位置決めを行うために水平に突出する位置決めピン６１Ａとが設けられている。このボルト挿通孔６１Ｃの裏側には、固着された図示しないナットが固着されている。
【００２１】
なお、第１のブラケット６１の一方のブラケットは、第１の外壁面６を有する建物ユニット４Ａの柱９１の下方に固設され、他方のブラケットは、前記建物ユニット４Ａの下梁９３の中間部分に固設されている。
また、第２の外壁面７の下部には、当該外壁面７を有する建物ユニット４Ｂの骨組みに溶接された細長い直方体状の第２のブラケット７１Ｆが露出している。
第２のブラケット７１Ｆの垂直な前面７１Ｂには、バルコニユニット６２を固定するための図示しないボルトを挿通するボルト挿通孔７１Ｃが設けられている。このボルト挿通孔７１Ｃの裏面には、固着された図示しないナットが設けられている。ここで、バルコニユニット６２は、図１２で示したバルコニユニット６２と同様のものであり、軸組材を四角形に組んだ床フレーム６５と、この床フレーム６５の上面に張り付けられる床面材６６から形成される床パネル６４と、この床パネル６４の端縁に沿って立設される手摺壁である前壁パネル６３Ａおよび左壁パネル６３Ｂとを有するものである。
【００２２】
このうち、床フレーム６５には、図２に示されるように、ユニット式建物１の第１のブラケット６１に接続するために結合部６７が第１の外壁面６に対向する辺６５Ａに設けられ、かつ、直方体形の第２のブラケット７１Ｆに固定するための固定部６０が第２の外壁面７に対応する辺６５Ｂに設けられている。なお、床パネル６４と手摺壁６３についての詳細は省略する。
結合部６７には、接合用の図示しないボルトを挿通させるボルト挿通孔６７Ａと、後述する位置決めピン６１Ａを挿通させる位置決め孔６７Ｂとが設けられている。  固定部６０には、接合用の図示しないボルトを挿通させるボルト挿通孔６０Ａと、位置決め用のしのを挿通させるしの孔６０Ｂとが設けられている。
【００２３】
バルコニユニット６２は、ブラケット６１の位置決めピン６１Ａを、結合部６７の位置決め孔６７Ｂに挿通させた状態で、結合部６７のボルト挿通孔６７Ａおよびブラケット６１のボルト挿通孔６１Ｃの両方に挿通させたボルトをナットに螺合させることにより、床フレーム６５の辺６５Ａが第１の外壁面６を有する建物ユニット４Ａ側に接合される。
また、バルコニユニット６２は、固定部６０のボルト挿通孔６０Ａおよびブラケット７１Ｆのボルト挿通孔７１Ｃの両方に挿通させたボルトをナットに螺合させることにより、床フレーム６５の辺６５Ｂが第２の外壁面７を有する建物ユニット４Ｂ側に接合される。
【００２４】
次にバルコニユニット６２の取り付け手順について説明する。
工場で製造された各建物ユニット３、４を建築現場で組み合わせてユニット式建物１を形成した後、図１、２に示す通り、建築現場でバルコニユニット６２をクレーンから吊り下げられたフック１００に掛止して、建物側の第１のブラケット６１の近傍まで上昇させた後、バルコニユニット６２を水平移動し、バルコニユニット６２の結合部６７に設けた位置決め孔６７Ｂに建物側の第１のブラケット６１に設けた位置決めピン６１Ａを挿入させる。ここで、第２のブラケット７１Ｆと固定部６０とは互いに近接し、接触することがあるが、堅牢な金属製のものであることから、接触しても何ら問題が生じない。
【００２５】
そして、固定部６０のしの孔６０Ｂを利用してボルト挿通孔６０Ａ、７１Ｃを合わせ、結合部６７と第１のブラケット６１および固定部６０と第２のブラケット７１Ｆとの各々両方のボルト挿通孔６７Ａ、６１Ｃ、６０Ａ、７１Ｃにボルトを挿入して締め付けることにより、ユニット式建物１にバルコニユニット６２が取り付けられる。
バルコニユニット６２が二階用建物ユニット４の入隅部５に取り付けられたら、バルコニユニット６２の前壁パネル６３Ａと第２の外壁面７との隙間にカバー部材６８を被せる。
【００２６】
このような本実施形態によれば、次のような効果が得られる。
バルコニユニット６２を取り付けるにあたり、第２の外壁面７から突出する第２のブラケット７１Ｆが、前記バルコニユニット６２の第２の外壁面７との間に介装され、バルコニユニット６２の第２の外壁面７からの距離が大きくなる。このため、バルコニユニット６２の水平移動時には、バルコニユニット６２が第２の外壁面７に接触することが無く、バルコニユニット６２の取付作業が迅速に行え、設置が短時間でできる。
さらに、建物本体１を先に組み上げた後に、後からバルコニユニット６２を取り付ける手順の他、逆に第１の外壁面６を有する建物ユニット４Ａにバルコニユニット６２を取り付けてから、第２の外壁面７を有する建物ユニット４Ｂを設置する手順も採用可能であることから、建築現場での作業手順についての自由度を確保できる。
【００２７】
ここで、バルコニユニット６２は、その固定部６０を第２のブラケット７１Ｆに近接させて取り付ける際に、固定部６０および第２のブラケット７１Ｆの垂直面７１Ｂに万一すり傷が付いても、固定部６０と第２のブラケット７１Ｆとの垂直面７１Ｂは、接合後には隠れてしまうので、すり傷が露出せず、建物の外観を損なうことがない。
【００２８】
図３には、本発明の第２実施形態が示されている。この第２実施形態は、前記第１実施形態における第２の外壁面７の第２のブラケット７１Ｆにバルコニユニット６２を直接接合する取付構造を、中間ユニット７２Ｈを介して第２のブラケット７１Ｇに間接的に接合する取付構造としたものである。
すなわち、図４に示されるように、この二階用部分の入隅部５を形成する第２の外壁面７には、当該外壁面７を有する建物ユニット４Ｂの骨組みに溶接された箱状で、かつ、一対のブラケットから構成される第２のブラケット７１Ｇが露出している。
【００２９】
第２のブラケット７１Ｇは、前述の第１のブラケット６１と同様の構造を有するものである。この第２のブラケット７１Ｇの垂直な前面７１Ｂには、中間ユニット７２Ｈを取り付けるための図示しないボルトを挿通するボルト挿通孔７１Ｃと、中間ユニット７２Ｈの位置決めを行うために水平に突出する位置決めピン７１Ａとが設けられている。このボルト挿通孔７１Ｃの裏側には、固着された図示しないナットが設けられている。
なお、第２のブラケット７１Ｇの一方のブラケットは、第２の外壁面７を有する建物ユニット４Ｂの柱９１の下方に固設され、他方のブラケットは、前記建物ユニット４Ｂの下梁９３の中間部分に固設されている。
【００３０】
中間ユニット７２Ｈは、軸組材を四角形に組んだ床フレーム７３と、この床フレーム７３の上面に張り付けられる床面材７４とから形成されている。
このうち、床フレーム７３には、ユニット式建物１の第２のブラケット７１Ｇに接続するための結合部７７と、垂直な前面７２Ｂにバルコニユニット６２を固定するためのボルト挿通孔７２Ｃとが設けられている。
結合部７７には、接合用の図示しないボルトを挿通させるボルト挿通孔７７Ａと、後述する位置決めピン７１Ａを挿通させる位置決め孔７７Ｂとが設けられている。  また、中間ユニット７２Ｈには、第１実施形態におけるブラケット７１Ｆと同様に、固定部６０と、バルコニユニット６２に設けられた床フレーム６５とを連結するために、バルコニユニット６２を固定するための図示しないボルトを挿通するボルト挿通孔７２Ｃがその前面７２Ｂに設けられている。このボルト挿通孔７２Ｃの裏側には、固着された図示しないナットが設けられている。
【００３１】
中間ユニット７２Ｈは、ブラケット７１Ｇの位置決めピン７１Ａを、結合部７７の位置決め孔７７Ｂに挿通させた状態で、結合部７７のボルト挿通孔７７Ａおよびブラケット７１Ｇのボルト挿通孔７１Ｃの両方に挿通させたボルトをナットに螺合させることにより、第２の外壁面７を有する建物ユニット４Ｂに接合される。
また、この中間ユニット７２Ｈには、建物ユニット４Ａ側に接合されたバルコニユニット６２の辺６５Ｂが接合される。基本的には、バルコニユニット６２の固定部６０に設けたボルト挿通孔６０Ａおよび中間ユニット７２Ｈのボルト挿通孔７２Ｃの両方に挿通させたボルトをナットに螺合させることにより、床フレーム６５の辺６５Ｂが第２の外壁面７を有する建物ユニット４Ｂ側に接合される。
【００３２】
次にバルコニユニット６２および中間ユニット７２Ｈの取り付け手順について説明する。
工場で製造された各建物ユニット３、４を建築現場で組み合わせてユニット式建物１を形成した後、建築現場で中間ユニット７２Ｈをクレーンから吊り下げられたフック１００に掛止して、建物側の第２のブラケット７１Ｇの近傍まで上昇させた後、中間ユニット７２Ｈを水平移動し、中間ユニット７２Ｈの結合部７７に設けた位置決め孔７７Ｂに建物側の第２のブラケット７１Ｇに設けた位置決めピン７１Ａを挿入させる。
バルコニユニット６２の取り付け手順は前記第１実施形態と同様である。
ここで、中間ユニット７２Ｈと固定部６０とは互いに近接し、接触することがあるが、堅牢な金属製のものであることから、接触しても何ら問題が生じない。
【００３３】
そして、固定部６０のしの孔６０Ｂを利用して、しのを通してボルト挿通孔６０Ａ、７２Ｃの位置を合わせ、結合部６７と第１のブラケット６１および固定部６０と中間ユニット７２Ｈとの各々両方のボルト挿通孔６７Ａ、６１Ｃ、６０Ａ、７２Ｃにボルトを挿入して締め付けることにより、ユニット式建物１にバルコニユニット６２が取り付けられる。
バルコニユニット６２が二階用建物ユニット４の入隅部５に取り付けられたら、バルコニユニット６２の前壁パネル６３Ａと第２の外壁面７との隙間にカバー部材６８を被せる。
【００３４】
このような本実施形態によれば、前記実施形態と同様の作用効果が得られるほか、次のような効果が付加される。
すなわち、中間ユニット７２Ｈは、バルコニユニット６２の上面と連続する上面を備え、かつ、前記中間ユニット７２Ｈの奥行き寸法を、前記バルコニユニット６２と同一の奥行き寸法にしているので、中間ユニット７２Ｈの面積の分、バルコニユニット６２により形成される突設物であるバルコニ５０の床面積を拡張することができる。
【００３５】
図５には、本発明の第３実施形態が示されている。この第３実施形態は、前記第２実施形態における中間ユニット７２Ｈを、第１のバルコニユニット６２と同様の第２のバルコニユニット７２Ｊとし、第１のバルコニユニット６２と第２のバルコニユニット７２Ｊとを互いの長手方向を直交させて、平面Ｌ字形の突出部分を形成したものである。
すなわち、図６に示されるように、この二階用部分の入隅部５を形成する第２の外壁面７には、当該外壁面７を有する建物ユニット４Ｂの骨組みに溶接された箱状で、かつ、一対のブラケットで構成された第２のブラケット７１Ｇが露出している。
【００３６】
第２のバルコニユニット７２Ｊは、前述のバルコニユニット６２と同様のものであり、軸組材を四角形に組んだ床フレーム７３と、この床フレーム７３の上面に張り付けられる床面材７４から形成される床パネル７５と、この床パネル７５の端縁に沿って立設される手摺壁である前壁パネル７６Ａおよび左壁パネル７６Ｂとを有するものである。
このうち、床フレーム７３には、ユニット式建物１の第２のブラケット７１Ｇに接続するための結合部７７と、垂直な前面７２Ｂに第１のバルコニユニット６２を固定するためのボルト挿通孔７２Ｃとが設けられている。
結合部７７には、接合用の図示しないボルトを挿通させるボルト挿通孔７７Ａと、後述する位置決めピン７１Ａを挿通させる位置決め孔７７Ｂとが設けられている。
【００３７】
また、第２のバルコニユニット７２Ｊには、第１実施形態におけるブラケット７１Ｆと同様に、固定部６０と、バルコニユニット６２に設けられた床フレーム６５とを連結するために、バルコニユニット６２を固定するための図示しないボルトを挿通するボルト挿通孔７２Ｃがその前面７２Ｂに設けられている。このボルト挿通孔７２Ｃの裏側には、固着された図示しないナットが設けられている。
なお、第２のブラケット７１Ｇは、第２の外壁面７を有する建物ユニット４Ｂの柱９１の下方に各々固設されている。
【００３８】
第２のバルコニユニット７２Ｊは、第２のブラケット７１Ｇの位置決めピン７１Ａを、結合部７７の位置決め孔７７Ｂに挿通させた状態で、結合部７７のボルト挿通孔７７Ａおよびブラケット７１Ｇのボルト挿通孔７１Ｃの両方に挿通させたボルトをナットに螺合させることにより、第２の外壁面７を有する建物ユニット４Ｂに接合される。
また、第１のバルコニユニット６２は、固定部６０のボルト挿通孔６０Ａおよび第２のバルコニユニット７２Ｊのボルト挿通孔７２Ｃの両方に挿通させたボルトをナットに螺合させることにより、床フレーム６５の辺６５Ｂが第２の外壁面７を有する建物ユニット４Ｂ側に接合される。
【００３９】
次に第１のバルコニユニット６２および第２のバルコニユニット７２Ｊの取り付け手順について説明する。
工場で製造された各建物ユニット３、４を建築現場で組み合わせてユニット式建物１を形成した後、図５、６に示す通り、建築現場で第２のバルコニユニット７２Ｊをクレーンから吊り下げられたフック１００に掛止して、建物側の第２のブラケット７１Ｇの近傍まで上昇させた後、第２のバルコニユニット７２Ｊを水平移動し、第２のバルコニユニット７２Ｊの結合部７７に設けた位置決め孔７７Ｂに建物側の第２のブラケット７１Ｇに設けた位置決めピン７１Ａを挿入させる。さらに、第１のバルコニユニット６２の第１のブラケット６１への取り付け手順は前記第２実施形態と同様である。また、第１のバルコニユニット６２と第２のバルコニユニット７２Ｊとの取り付け手順は前記第２実施形態の中間ユニット７２Ｈとの取り付け手順と同様であるので、説明を省略する。
【００４０】
このような本実施形態によれば、前記実施形態と同様の作用効果が得られるほか、次のような効果が付加される。
すなわち、前記第２のバルコニユニット７２Ｊと第１のバルコニユニット６２との長手方向を互いに直交させ、第１のバルコニユニット６２と第２のバルコニユニット７２Ｊとで第１および第２の外壁面６、７から突出する平面Ｌ字形の突出部分を形成すれば、二つに分割した第１のバルコニユニット６２と第２のバルコニユニット７２Ｊとで平面Ｌ字形が形成されるので、一体化されたＬ字形の突設物であるバルコニ５０を入隅部分５の奥まった場所に取り付けるよりも、短時間で設置できる。
【００４１】
図７には、本発明の第４実施形態が示されている。この第４実施形態は、前記第３実施形態に第３のバルコニユニット８２を付加し、前記第２のバルコニユニット７２Ｊと第３のバルコニユニット８２との床面を連続させ、クランク状に接合したものである。
すなわち、図８に示されるように、この二階用部分の第３の外壁面８には、当該外壁面８を有する建物ユニット４Ｂの骨組みに溶接された箱状で、かつ、一対のブラケットから構成される第３のブラケット８１が露出している。
【００４２】
第３のバルコニユニット８２は、前述のバルコニユニット６２と同様のものであり、軸組材を四角形に組んだ床フレーム８３と、この床フレーム８３の上面に張り付けられる床面材８４から形成される床パネル８５と、この床パネル８５の端縁に沿って立設される手摺壁である前壁パネル８６Ａ、左壁パネル８６Ｂおよび右壁パネル８６Ｃとを有するものである。
このうち、床フレーム８３には、ユニット式建物１の第３のブラケット８１に接続するための結合部８７と、結合部８７を有する面に第２のバルコニユニット７２Ｊを固定するための固定部８０とが設けられている。
結合部８７には、接合用の図示しないボルトを挿通させるボルト挿通孔８７Ａと、後述する位置決めピン８１Ａを挿通させる位置決め孔８７Ｂとが設けられている。  固定部８０には、接合用の図示しないボルトを挿通させるボルト挿通孔８０Ａと位置決め用のしのを挿通させるしの孔８０Ｂとが設けられている。
【００４３】
第３のブラケット８１の垂直な前面８１Ｂには、第３のバルコニユニット８２を取り付けるための図示しないボルトを挿通するボルト挿通孔８１Ｃと、第３のバルコニユニット８２の位置決めを行うために水平に突出する位置決めピン８１Ａとが設けられている。このボルト挿通孔８１Ｃの裏側には、固着された図示しないナットが固着されている。
また、第３のバルコニユニット８２の固定部８０に対向する第２のバルコニユニット７２Ｊに設けられた床フレーム７３には、第３のバルコニユニット８２を固定するための図示しないボルトを挿通するボルト挿通孔７２Ｃと、このボルト挿通孔７２Ｃの裏側に固着された図示しないナットとが設けられている。
なお、第３のブラケット８１は、第３の外壁面８を有する建物ユニット４Ｂの柱９１の下方に各々固設されている。
【００４４】
第３のバルコニユニット８２は、第３のブラケット８１の位置決めピン８１Ａを、結合部８７の位置決め孔８７Ｂに挿通させた状態で、結合部８７のボルト挿通孔８７Ａおよびブラケット８１のボルト挿通孔８１Ｃの両方に挿通させたボルトをナットに螺合させることにより、第３の外壁面８を有する建物ユニット４Ｂに接合される。
また、第３のバルコニユニット８２は、固定部８０のボルト挿通孔８０Ａおよび第２のバルコニユニット７２Ｊのボルト挿通孔７２Ｃの両方に挿通させたボルトをナットに螺合させることにより、第２のバルコニユニット７２Ｊと第３のバルコニユニット８２が接合される。
【００４５】
次に第１のバルコニユニット６２、第２のバルコニユニット７２Ｊおよび第３のバルコニユニット８２の取り付け手順について説明する。
前記第３実施形態と同様に第１、２のバルコニユニット６２、７２を取り付けた後、第３のバルコニユニット８２をクレーンから吊り下げられたフック１００に掛止して、建物側の第３のブラケット８１の近傍まで上昇させた後、第３のバルコニユニット８２を水平移動し、第３のバルコニユニット８２の結合部８７に設けた位置決め孔８７Ｂに建物側の第３のブラケット８１に設けた位置決めピン８１Ａを挿入させる。
そして、固定部８０のしの孔８０Ｂを利用してボルト挿通孔８０Ａ、７２Ｃを合わせ、結合部８７と第３のブラケット８１および固定部８０と第２のバルコニユニット７２Ｊとの各々両方のボルト挿通孔８７Ａ、８１Ｃ、８０Ａ、７２Ｃにボルトを挿入して締め付けることにより、ユニット式建物１に第１、２、３のバルコニユニット６２、７２、８２が取り付けられる。
【００４６】
このような本実施形態によれば、前記実施形態と同様の作用効果が得られるほか、次のような効果が付加される。
すなわち、ユニット式建物１の第２の外壁面７に第２のバルコニユニット７２Ｊを取り付けておけば、第１のバルコニユニット６２を取り付けるにあたり、第２の外壁面７から突出する第２のバルコニユニット７２Ｊが、前記第１のバルコニユニット６２の第２の外壁面７との間に介装され、第１のバルコニユニット６２の第２の外壁面７からの距離が大きくなる。このため、第１のバルコニユニット６２の水平移動時には、第１のバルコニユニット６２が第２の外壁面７に接触することが無く、第１のバルコニユニット６２の取付作業が迅速に行え、設置を短時間で行うことができる。
【００４７】
また、第２のバルコニユニット７２Ｊは、前記第１のバルコニユニット６２の上面と連続する上面を備え、かつ、前記第２のバルコニユニット７２Ｊの奥行き寸法を、前記第１のバルコニユニット６２と同一の奥行き寸法としているので、第２のバルコニユニット７２Ｊの面積の分、第１のバルコニユニット６２により形成されるバルコニ５０の床面積を拡張することができる。
さらに、第１、２のバルコニユニット６２、７２で平面Ｌ字形を形成した後、第３のバルコニユニット８２を取り付ければ、クランク状の複雑な平面形状のバルコニ５０でも第２の外壁面７を損傷するおそれがなく、取付作業が迅速に行え、設置が短時間でできる。
【００４８】
なお、本発明は前記実施の形態に限定されるものではなく、本発明の目的を達成できる他の構成等も本発明に含まれる。
例えば、図９に示すように、二階用建物ユニット４の外壁面の端縁から突出するように、バルコニユニット６２を外壁面に沿って延長し、当該建物ユニット４と隣接する階段１０の下端に、当該バルコニユニット６２の端部を接続してもよい。
このようにすれば、バルコニ５０により建物ユニット４の掃き出し窓４Ｃから屋外階段１０までの通路が確保できる。
【００４９】
さらに、図１０に示すように、バルコニユニット６２の床パネル６４を構成する床面材６６に開口部６９を設け、この開口部６９に透光材であるガラス等が設置されていてもよい。
このように、ガラス等を入れることにより、バルコニユニット６２の直下を明るい空間にできる。
【００５０】
また、前記第１、第２の実施の形態では、バルコニユニット６２と第２の外壁面７との間にカバー部材６８を取り付けたが、外観やバルコニユニット６２に応じて、取り付けなくてもよい。
【００５１】
さらに、前記実施の形態では、バルコニユニットについて説明したが、突設物ユニットとしてはこれに限らず、例えば、玄関庇や軒先ユニット等でもよい。
【００５２】
【発明の効果】
以上に述べたように、本発明のユニット式建物の突設物によれば、ユニット式建物の第２の外壁面から突出する第２のブラケットまたは中間ユニットを取り付けることによって、建物の入隅部の外壁材を損傷させずにバルコニユニット等の突設物ユニットを取り付けることができ、短時間で設置することができる。
【図面の簡単な説明】
【図１】本発明の第１の実施形態を適用したユニット式建物を示す斜視図である。
【図２】図１における突設物ユニットの取付構造の拡大斜視図である。
【図３】本発明の第２の実施形態を適用したユニット式建物を示す斜視図である。
【図４】図３における突設物ユニットの取付構造の拡大斜視図である。
【図５】本発明の第３の実施形態を適用したユニット式建物を示す斜視図である。
【図６】図５における突設物ユニットの取付構造の拡大斜視図である。
【図７】本発明の第４の実施形態を適用したユニット式建物を示す斜視図である。
【図８】図７における突設物ユニットの取付構造の拡大斜視図である。
【図９】本発明の変形例を適用したユニット式建物を示す斜視図である。
【図１０】本発明の他の変形例を適用した異なる種類のユニット式建物を示す斜視図である。
【図１１】建物ユニットの骨組みを示す斜視図である。
【図１２】突設物ユニットの拡大断面図である。
【図１３】従来の突設物の取付構造を示す図である。
【符号の説明】
１  ユニット式建物
５  入隅
６  第１の外壁面
７  第２の外壁面
８  第３の外壁面
５０  突設物
６１  第１のブラケット
６２  第１の突設物ユニットである第１のバルコニユニット
７１Ｇ、７１Ｆ  第２のブラケット
７２Ｈ  中間ユニット
７２Ｊ  第２の突設物ユニットである第２のバルコニユニット
８１  第３のブラケット
８２  第３の突設物ユニットである第３のバルコニユニット
【図１】
0003756268.tif 000002
【図２】
0003756268.tif 000003
【図３】
0003756268.tif 000004
【図４】
0003756268.tif 000005
【図５】
0003756268.tif 000006
【図６】
0003756268.tif 000007
【図７】
0003756268.tif 000008
【図８】
0003756268.tif 000009
【図９】
0003756268.tif 000010
【図１０】
0003756268.tif 000011
【図１１】
0003756268.tif 000012
【図１２】
0003756268.tif 000013
【図１３】
0003756268.tif 000014